(57)【特許請求の範囲】
【請求項１】
画像を撮影する撮影手段と、
第１の記憶手段と、
前記第１の記憶手段と比較して易損性が高く、大容量である第２の記憶手段と、
前記撮影手段が撮影した画像データを前記第２の記憶手段に保存するデータ保存手段と、
前記第２の記憶手段に保存された画像データを段階的に評価する撮影画像評価手段と、
前記第２の記憶手段に保存された画像データから前記撮影画像評価手段により評価が所定の段階以上とされた画像データを指定するデータ指定手段と、
前記データ指定手段で指定された画像データを、前記第１の記憶手段に複写して保存する指定データ保存手段と、
を備え、
前記データ指定手段は、前記撮影画像評価手段により評価が所定の段階以上とされた画像データとともに、前記撮影手段により撮影された全ての画像データのサムネイル画像を指定する、
ことを特徴とする撮像装置。
【請求項２】
前記撮影画像評価手段は、
前記第２の記憶手段に保存された画像データを閲覧者の操作により段階的に評価することを特徴とする請求項１に記載の撮像装置。
【請求項３】
前記指定データ保存手段は、
前記データ指定手段により指定された画像データを、前記第１の記憶手段に複写して保存した後、該画像データを前記第２の記憶手段より削除することを特徴とする請求項１又は２に記載の撮像装置。
【請求項４】
前記撮影画像評価手段は、
前記撮影手段により撮影された画像データに含まれる人の顔の映り具合を自動的に段階評価する手段を備えることを特徴とする請求項１乃至３のいずれか１項に記載の撮像装置。
【請求項５】
前記撮影画像評価手段は、
前記撮影手段により撮影された画像データが特定色の近似色をどれだけ多く含む画像であるかを自動的に段階評価する手段を備えることを特徴とする請求項１乃至４のいずれか１項に記載の撮像装置。
【請求項６】
画像を撮影する撮影手段と、
第１の記憶手段と、
前記第１の記憶手段と比較して易損性が高く、大容量である第２の記憶手段と、
前記撮影手段が撮影した画像データを前記第２の記憶手段に保存するデータ保存手段と、
前記第２の記憶手段に保存された画像データを段階的に評価する撮影画像評価手段と、
前記第２の記憶手段に保存された画像データから前記撮影画像評価手段により評価が所定の段階以上とされた画像データを指定するデータ指定手段と、
前記データ指定手段で指定された画像データを、前記第１の記憶手段に複写して保存する指定データ保存手段と、
を備え、
前記撮影画像評価手段は、前記撮影手段により撮影された画像データが特定色の近似色をどれだけ多く含む画像であるかを自動的に段階評価する手段を備える、
ことを特徴とする撮像装置。
【請求項７】
画像を撮影する撮影手段と、
第１の記憶手段と、
前記第１の記憶手段と比較して易損性が高く、大容量である第２の記憶手段と、
前記撮影手段が撮影した画像データを前記第２の記憶手段に保存するデータ保存手段と、
前記第２の記憶手段に保存された画像データを段階的に評価する撮影画像評価手段と、
前記第２の記憶手段に保存された画像データから前記撮影画像評価手段により評価が所定の段階以上とされた画像データを指定するデータ指定手段と、
前記データ指定手段で指定された画像データを、前記第１の記憶手段に複写して保存する指定データ保存手段と、
を備え、
前記撮影画像評価手段は、前記撮影手段による連続撮影の回数を自動的に段階評価する手段を備える、
ことを特徴とする撮像装置。
【請求項８】
画像を撮影する撮影手段と、
第１の記憶手段と、
前記第１の記憶手段と比較して易損性が高く、大容量である第２の記憶手段と、
前記撮影手段が撮影した画像データを前記第２の記憶手段に保存するデータ保存手段と、
前記第２の記憶手段に保存された画像データを段階的に評価する撮影画像評価手段と、
前記第２の記憶手段に保存された画像データから前記撮影画像評価手段により評価が所定の段階以上とされた画像データを指定するデータ指定手段と、
前記データ指定手段で指定された画像データを、前記第１の記憶手段に複写して保存する指定データ保存手段と、
を備え、
前記撮影画像評価手段は、前記第２の記憶手段により保存される画像データが動画から生成された静止画像であるか否かを自動的に評価する手段を備える、
ことを特徴とする撮像装置。
【請求項９】
前記撮影手段による動画像の撮影開始から所定時間経過後の画像を静止画像として、該動画像とは別に該静止画像を前記第２の記憶手段に保存する第１の静止画像切出手段をさらに備えることを特徴とする請求項８に記載の撮像装置。
【請求項１０】
前記撮影手段による動画像撮影中、所定時間の該動画像に変化が少ない場合の画像を静止画像として、該動画像とは別に該静止画像を前記第２の記憶手段に保存する第２の静止画像切出手段をさらに備えることを特徴とする請求項８に記載の撮像装置。
【請求項１１】
前記第２の記憶手段は、ハードディスクドライブであることを特徴とする請求項１乃至１０のいずれか１項に記載の撮像装置。
【請求項１２】
前記第１の記憶手段は、不揮発性メモリであることを特徴とする請求項１乃至１１のいずれか１項に記載の撮像装置。
【請求項１３】
画像を撮影する撮影手段と、第１の記憶手段と、前記第１の記憶手段と比較して易損性が高く、大容量である第２の記憶手段と、を備えた撮像装置の画像保存方法であって、
前記撮影手段により撮影された画像データを前記第２の記憶手段に保存するデータ保存ステップと、
前記第２の記憶手段により保存された画像データを段階的に評価する評価ステップと、
前記評価ステップにより評価が所定の段階以上とされた画像データを指定するデータ指定ステップと、
前記データ指定ステップにて指定された画像データを、前記第１の記憶手段に複写して保存する指定データ保存ステップと、を含み、
前記データ指定ステップは、前記評価ステップでの評価が所定の段階以上とされた画像データとともに、前記撮影手段により撮影された全ての画像データのサムネイル画像を指定する、
ことを特徴とする画像保存方法。
【請求項１４】
画像を撮影する撮影手段と、第１の記憶手段と、前記第１の記憶手段と比較して易損性が高く、大容量である第２の記憶手段と、を備えた撮像装置の画像保存方法であって、
前記撮影手段により撮影された画像データを前記第２の記憶手段に保存するデータ保存ステップと、
前記第２の記憶手段により保存された画像データを段階的に評価する評価ステップと、
前記評価ステップにより評価が所定の段階以上とされた画像データを指定するデータ指定ステップと、
前記データ指定ステップにて指定された画像データを、前記第１の記憶手段に複写して保存する指定データ保存ステップと、を含み、
前記評価ステップは、前記撮影手段により撮影された画像データが特定色の近似色をどれだけ多く含む画像であるかを自動的に段階評価するステップを含む、
ことを特徴とする画像保存方法。
【請求項１５】
画像を撮影する撮影手段と、第１の記憶手段と、前記第１の記憶手段と比較して易損性が高く、大容量である第２の記憶手段と、を備えた撮像装置の画像保存方法であって、
前記撮影手段により撮影された画像データを前記第２の記憶手段に保存するデータ保存ステップと、
前記第２の記憶手段により保存された画像データを段階的に評価する評価ステップと、
前記評価ステップにより評価が所定の段階以上とされた画像データを指定するデータ指定ステップと、
前記データ指定ステップにて指定された画像データを、前記第１の記憶手段に複写して保存する指定データ保存ステップと、を含み、
前記評価ステップは、前記撮影手段による連続撮影の回数を自動的に段階評価するステップを含む、
ことを特徴とする画像保存方法。
【請求項１６】
画像を撮影する撮影手段と、第１の記憶手段と、前記第１の記憶手段と比較して易損性が高く、大容量である第２の記憶手段と、を備えた撮像装置の画像保存方法であって、
前記撮影手段により撮影された画像データを前記第２の記憶手段に保存するデータ保存ステップと、
前記第２の記憶手段により保存された画像データを段階的に評価する評価ステップと、
前記評価ステップにより評価が所定の段階以上とされた画像データを指定するデータ指定ステップと、
前記データ指定ステップにて指定された画像データを、前記第１の記憶手段に複写して保存する指定データ保存ステップと、を含み、
前記評価ステップは、前記第２の記憶手段により保存される画像データが動画から生成された静止画像であるか否かを自動的に評価するステップを含む、
ことを特徴とする画像保存方法。
【請求項１７】
画像を撮影する撮影手段と、第１の記憶手段と、前記第１の記憶手段と比較して易損性が高く、大容量である第２の記憶手段と、を備えた撮像装置のコンピュータを、
前記撮影手段により撮影された画像データを前記第２の記憶手段に保存するデータ保存手段、
前記データ保存手段により保存された画像データを段階的に評価する評価手段、
前記評価手段により評価が所定の段階以上とされた画像データを指定するデータ指定手段、
前記データ指定手段により指定された画像データを、前記第２の記憶手段から前記第１の記憶手段に複写して保存する指定データ保存手段
として機能させ、
前記データ指定手段は、前記評価手段により評価が所定の段階以上とされた画像データとともに、前記撮影手段により撮影された全ての画像データのサムネイル画像を指定する、
ることを特徴とするプログラム。
【請求項１８】
画像を撮影する撮影手段と、第１の記憶手段と、前記第１の記憶手段と比較して易損性が高く、大容量である第２の記憶手段と、を備えた撮像装置のコンピュータを、
前記撮影手段により撮影された画像データを前記第２の記憶手段に保存するデータ保存手段、
前記データ保存手段により保存された画像データを段階的に評価する評価手段、
前記評価手段により評価が所定の段階以上とされた画像データを指定するデータ指定手段、
前記データ指定手段により指定された画像データを、前記第２の記憶手段から前記第１の記憶手段に複写して保存する指定データ保存手段
として機能させ、
前記評価手段は、前記撮影手段により撮影された画像データが特定色の近似色をどれだけ多く含む画像であるかを自動的に段階評価する手段を備える、
ことを特徴とするプログラム。
【請求項１９】
画像を撮影する撮影手段と、第１の記憶手段と、前記第１の記憶手段と比較して易損性が高く、大容量である第２の記憶手段と、を備えた撮像装置のコンピュータを、
前記撮影手段により撮影された画像データを前記第２の記憶手段に保存するデータ保存手段、
前記データ保存手段により保存された画像データを段階的に評価する評価手段、
前記評価手段により評価が所定の段階以上とされた画像データを指定するデータ指定手段、
前記データ指定手段により指定された画像データを、前記第２の記憶手段から前記第１の記憶手段に複写して保存する指定データ保存手段
として機能させ、
前記評価手段は、前記撮影手段による連続撮影の回数を自動的に段階評価する手段を備える、
ことを特徴とするプログラム。
【請求項２０】
画像を撮影する撮影手段と、第１の記憶手段と、前記第１の記憶手段と比較して易損性が高く、大容量である第２の記憶手段と、を備えた撮像装置のコンピュータを、
前記撮影手段により撮影された画像データを前記第２の記憶手段に保存するデータ保存手段、
前記データ保存手段により保存された画像データを段階的に評価する評価手段、
前記評価手段により評価が所定の段階以上とされた画像データを指定するデータ指定手段、
前記データ指定手段により指定された画像データを、前記第２の記憶手段から前記第１の記憶手段に複写して保存する指定データ保存手段
として機能させ、
前記評価手段は、前記データ保存手段により保存される画像データが動画から生成された静止画像であるか否かを自動的に評価する手段を備える、
ことを特徴とするプログラム。
【発明の詳細な説明】
【技術分野】
【０００１】
本発明は、入力データを情報低下させたデータを作成し、該データを入力データと共に保存することを特徴とする、撮像装置、画像保存方法、及びプログラムに関する。
【背景技術】
【０００２】
近年のデジタルスチルカメラのように、たとえば、不揮発性メモリや、ハードディスクを内蔵しているＩＣカードであるマイクロドライブなどの記録媒体を搭載できる電子機器が知られている。
【０００３】
そのような電子機器の記録媒体には、たとえば、不揮発性メモリ、ハードディスク、ＤＶＤ（Digital Versatile Disc）などがある。しかし、いずれの記録媒体も、読み込み速度、耐久性、易損性、携帯性、記憶容量、コストなどの面で一長一短がある。
【０００４】
特許文献１には、フレキシブルディスクとＩＣカードを組み合わせて、両記録媒体の短所を補い、撮像した画像をフレキシブルディスクに、撮像した画像を縮小した確認用画像をＩＣカードに保存する、というデジタルスチルカメラの発明が開示されている。
【０００５】
特許文献１の技術は、デジタルビデオカメラ等の落下などの際の、記録媒体の易損性に関しては考慮されていなかった。
【０００６】
記録媒体としてハードディスクを用いる場合においては、記憶容量は大きいが易損性が高く、破損すると全てのデータを取り出すことが出来ないという問題点があった。
【特許文献１】特許第３１３７１０７号特許公報
【発明の開示】
【発明が解決しようとする課題】
【０００７】
本発明は、上記問題に鑑みてなされたもので、複数の記憶手段を備え、記憶手段の易損性を考慮して画像データを保存する撮像装置、画像保存方法、及びプログラムを提供することを目的とする。
【課題を解決するための手段】
【０００８】
上記目的を達成するため、本発明の第１の観点に係る撮像装置は、画像を撮影する撮影手段と、第１の記憶手段と、前記第１の記憶手段と比較して易損性が高く、大容量である第２の記憶手段と、前記撮影手段が撮影した画像データを前記第２の記憶手段に保存するデータ保存手段と、前記第２の記憶手段に保存された画像データを段階的に評価する撮影画像評価手段と、前記第２の記憶手段に保存された画像データから前記撮影画像評価手段により評価が所定の段階以上とされた画像データを指定するデータ指定手段と、前記データ指定手段で指定された画像データを、前記第１の記憶手段に複写して保存する指定データ保存手段と、を備え、前記データ指定手段は、前記撮影画像評価手段により評価が所定の段階以上とされた画像データとともに、前記撮影手段により撮影された全ての画像データのサムネイル画像を指定することを特徴とする。
前記撮影画像評価手段は、前記第２の記憶手段に保存された画像データを閲覧者の操作により段階的に評価してもよい。
前記指定データ保存手段は、前記データ指定手段により指定された画像データを、前記第１の記憶手段に複写して保存した後、該画像データを前記第２の記憶手段より削除してもよい。
前記撮影画像評価手段は、前記撮影手段により撮影された画像データに含まれる人の顔の映り具合を自動的に段階評価する手段を備えてもよい。
前記撮影画像評価手段は、前記撮影手段により撮影された画像データが特定色の近似色をどれだけ多く含む画像であるかを自動的に段階評価する手段を備えてもよい。
【００１３】
また、本発明の第２の観点に係る撮像装置は、画像を撮影する撮影手段と、第１の記憶手段と、前記第１の記憶手段と比較して易損性が高く、大容量である第２の記憶手段と、前記撮影手段が撮影した画像データを前記第２の記憶手段に保存するデータ保存手段と、前記第２の記憶手段に保存された画像データを段階的に評価する撮影画像評価手段と、前記第２の記憶手段に保存された画像データから前記撮影画像評価手段により評価が所定の段階以上とされた画像データを指定するデータ指定手段と、前記データ指定手段で指定された画像データを、前記第１の記憶手段に複写して保存する指定データ保存手段と、を備え、前記撮影画像評価手段は、前記撮影手段により撮影された画像データが特定色の近似色をどれだけ多く含む画像であるかを自動的に段階評価する手段を備えることを特徴とする。
【００１４】
また、本発明の第３の観点に係る撮像装置は、画像を撮影する撮影手段と、第１の記憶手段と、前記第１の記憶手段と比較して易損性が高く、大容量である第２の記憶手段と、前記撮影手段が撮影した画像データを前記第２の記憶手段に保存するデータ保存手段と、前記第２の記憶手段に保存された画像データを段階的に評価する撮影画像評価手段と、前記第２の記憶手段に保存された画像データから前記撮影画像評価手段により評価が所定の段階以上とされた画像データを指定するデータ指定手段と、前記データ指定手段で指定された画像データを、前記第１の記憶手段に複写して保存する指定データ保存手段と、を備え、前記撮影画像評価手段は、前記撮影手段による連続撮影の回数を自動的に段階評価する手段を備えることを特徴とする。
【００１５】
また、本発明の第４の観点に係る撮像装置は、画像を撮影する撮影手段と、第１の記憶手段と、前記第１の記憶手段と比較して易損性が高く、大容量である第２の記憶手段と、前記撮影手段が撮影した画像データを前記第２の記憶手段に保存するデータ保存手段と、前記第２の記憶手段に保存された画像データを段階的に評価する撮影画像評価手段と、前記第２の記憶手段に保存された画像データから前記撮影画像評価手段により評価が所定の段階以上とされた画像データを指定するデータ指定手段と、前記データ指定手段で指定された画像データを、前記第１の記憶手段に複写して保存する指定データ保存手段と、を備え、前記撮影画像評価手段は、前記第２の記憶手段により保存される画像データが動画から生成された静止画像であるか否かを自動的に評価する手段を備えることを特徴とする。
また、前記撮像装置は、前記撮影手段による動画像の撮影開始から所定時間経過後の画像を静止画像として、該動画像とは別に該静止画像を前記第２の記憶手段に保存する第１の静止画像切出手段をさらに備えてもよい。
また、前記撮像装置は、前記撮影手段による動画像撮影中、所定時間の該動画像に変化が少ない場合の画像を静止画像として、該動画像とは別に該静止画像を前記第２の記憶手段に保存する第２の静止画像切出手段をさらに備えてもよい。
【００１８】
また、前記第２の記憶手段は、ハードディスクドライブであってもよい。
【００１９】
また、前記第１の記憶手段は、不揮発性メモリであってもよい。
【００２０】
本発明の第５の観点に係る画像保存方法は、画像を撮影する撮影手段と、第１の記憶手段と、前記第１の記憶手段と比較して易損性が高く、大容量である第２の記憶手段と、を備えた撮像装置の画像保存方法であって、前記撮影手段により撮影された画像データを前記第２の記憶手段に保存するデータ保存ステップと、前記第２の記憶手段により保存された画像データを段階的に評価する評価ステップと、前記評価ステップにより評価が所定の段階以上とされた画像データを指定するデータ指定ステップと、前記データ指定ステップにて指定された画像データを、前記第１の記憶手段に複写して保存する指定データ保存ステップとを含み、前記データ指定ステップは、前記評価ステップでの評価が所定の段階以上とされた画像データとともに、前記撮影手段により撮影された全ての画像データのサムネイル画像を指定する、ことを特徴とする。
本発明の第６の観点に係る画像保存方法は、画像を撮影する撮影手段と、第１の記憶手段と、前記第１の記憶手段と比較して易損性が高く、大容量である第２の記憶手段と、を備えた撮像装置の画像保存方法であって、前記撮影手段により撮影された画像データを前記第２の記憶手段に保存するデータ保存ステップと、前記第２の記憶手段により保存された画像データを段階的に評価する評価ステップと、前記評価ステップにより評価が所定の段階以上とされた画像データを指定するデータ指定ステップと、前記データ指定ステップにて指定された画像データを、前記第１の記憶手段に複写して保存する指定データ保存ステップと、を含み、前記評価ステップは、前記撮影手段により撮影された画像データが特定色の近似色をどれだけ多く含む画像であるかを自動的に段階評価するステップを含む、ことを特徴とする
本発明の第７の観点に係る画像保存方法は、画像を撮影する撮影手段と、第１の記憶手段と、前記第１の記憶手段と比較して易損性が高く、大容量である第２の記憶手段と、を備えた撮像装置の画像保存方法であって、前記撮影手段により撮影された画像データを前記第２の記憶手段に保存するデータ保存ステップと、前記第２の記憶手段により保存された画像データを段階的に評価する評価ステップと、前記評価ステップにより評価が所定の段階以上とされた画像データを指定するデータ指定ステップと、前記データ指定ステップにて指定された画像データを、前記第１の記憶手段に複写して保存する指定データ保存ステップと、を含み、前記評価ステップは、前記撮影手段による連続撮影の回数を自動的に段階評価するステップを含む、ことを特徴とする。
本発明の第８の観点に係る画像保存方法は、画像を撮影する撮影手段と、第１の記憶手段と、前記第１の記憶手段と比較して易損性が高く、大容量である第２の記憶手段と、を備えた撮像装置の画像保存方法であって、前記撮影手段により撮影された画像データを前記第２の記憶手段に保存するデータ保存ステップと、前記第２の記憶手段により保存された画像データを段階的に評価する評価ステップと、前記評価ステップにより評価が所定の段階以上とされた画像データを指定するデータ指定ステップと、前記データ指定ステップにて指定された画像データを、前記第１の記憶手段に複写して保存する指定データ保存ステップと、を含み、前記評価ステップは、前記第２の記憶手段により保存される画像データが動画から生成された静止画像であるか否かを自動的に評価するステップを含む、ことを特徴とする。
【００２１】
本発明の第９の観点に係るプログラムは、画像を撮影する撮影手段と、第１の記憶手段と、前記第１の記憶手段と比較して易損性が高く、大容量である第２の記憶手段と、を備えた撮像装置のコンピュータを、前記撮影手段により撮影された画像データを前記第２の記憶手段に保存するデータ保存手段、前記データ保存手段により保存された画像データを段階的に評価する評価手段、前記評価手段により評価が所定の段階以上とされた画像データを指定するデータ指定手段、前記データ指定手段により指定された画像データを、前記第２の記憶手段から前記第１の記憶手段に複写して保存する指定データ保存手段として機能させ、前記データ指定手段は、前記評価手段により評価が所定の段階以上とされた画像データとともに、前記撮影手段により撮影された全ての画像データのサムネイル画像を指定する、ことを特徴とする。
本発明の第１０の観点に係るプログラムは、画像を撮影する撮影手段と、第１の記憶手段と、前記第１の記憶手段と比較して易損性が高く、大容量である第２の記憶手段と、を備えた撮像装置のコンピュータを、前記撮影手段により撮影された画像データを前記第２の記憶手段に保存するデータ保存手段、前記データ保存手段により保存された画像データを段階的に評価する評価手段、前記評価手段により評価が所定の段階以上とされた画像データを指定するデータ指定手段、前記データ指定手段により指定された画像データを、前記第２の記憶手段から前記第１の記憶手段に複写して保存する指定データ保存手段として機能させ、前記評価手段は、前記撮影手段により撮影された画像データが特定色の近似色をどれだけ多く含む画像であるかを自動的に段階評価する手段を備える、ことを特徴とする。
本発明の第１１の観点に係るプログラムは、画像を撮影する撮影手段と、第１の記憶手段と、前記第１の記憶手段と比較して易損性が高く、大容量である第２の記憶手段と、を備えた撮像装置のコンピュータを、前記撮影手段により撮影された画像データを前記第２の記憶手段に保存するデータ保存手段、前記データ保存手段により保存された画像データを段階的に評価する評価手段、前記評価手段により評価が所定の段階以上とされた画像データを指定するデータ指定手段、前記データ指定手段により指定された画像データを、前記第２の記憶手段から前記第１の記憶手段に複写して保存する指定データ保存手段として機能させ、前記評価手段は、前記撮影手段による連続撮影の回数を自動的に段階評価する手段を備える、ことを特徴とする。
本発明の第１２の観点に係るプログラムは、画像を撮影する撮影手段と、第１の記憶手段と、前記第１の記憶手段と比較して易損性が高く、大容量である第２の記憶手段と、を備えた撮像装置のコンピュータを、前記撮影手段により撮影された画像データを前記第２の記憶手段に保存するデータ保存手段、前記データ保存手段により保存された画像データを段階的に評価する評価手段、前記評価手段により評価が所定の段階以上とされた画像データを指定するデータ指定手段、前記データ指定手段により指定された画像データを、前記第２の記憶手段から前記第１の記憶手段に複写して保存する指定データ保存手段として機能させ、前記評価手段は、前記データ保存手段により保存される画像データが動画から生成された静止画像であるか否かを自動的に評価する手段を備える、ことを特徴とする。
【発明の効果】
【００２２】
本発明によれば、所定の評価条件を満たす重要度の高い画像データの保存が容易にできる。
【発明を実施するための最良の形態】
【００２３】
本発明の実施形態に係る撮像装置を、図面を参照して説明する。
【００２４】
本実施形態の撮像装置１００は、図１に示すように、操作部１１０と、表示部１２０と、撮影部１３０と、計時部１４０と、制御部１５０と、ハードディスク１６０と、フラッシュメモリ１７０と、ＲＯＭ（Read Only Memory）１８０と、ＲＡＭ（Random Access Memory）１９０と、から構成され、各構成はバス２００により相互に接続される。
【００２５】
操作部１１０と撮影部１３０と制御部１５０とで撮影手段を構成する。
フラッシュメモリ１７０で第１の記憶手段を構成する。
ハードディスク１６０で第２の記憶手段を構成する。
制御部１５０でデータ保存手段、データ指定手段、指定データ保存手段、第１の静止画像切出手段、第２の静止画像切出手段、を構成する。
操作部１１０と制御部１５０とで撮影画像評価手段を構成する。
【００２６】
操作部１１０は、撮像装置１００の外面上に構成されたボタンやキーなどからユーザの操作を受け付ける。操作部１１０は、ユーザの操作に応じた入力信号を制御部１５０に入力する。
【００２７】
表示部１２０は、例えば、液晶表示装置などから構成され、撮影部１３０によって撮影された画像やハードディスク１６０やフラッシュメモリ１７０に記憶されている撮像画像などを表示する他、所定のメニュー画面などといった種々の画面を表示出力する。
【００２８】
撮影部１３０は、操作部１１０の操作に応じて静止画像や動画像を撮影する。
【００２９】
計時部１４０は、制御部１５０からの指示のもと、計時を開始・終了し、制御部１５０に計測時間を通知する。
【００３０】
制御部１５０は、無線通信端末１００の各部の動作を制御する。制御部１５０は、ＲＯＭ１８０に格納されているプログラムに基づき、各処理を実行する。なお、撮像装置１００の各構成はそれぞれバス２００を介して制御部１５０と接続されており、各構成間でのデータ授受などは制御部１５０を介しておこなわれるものとする。
【００３１】
ハードディスク１６０は、撮影部１３０により撮影された撮影画像データを保存する。ハードディスク１６０は、フラッシュメモリ１７０に比して安価で大容量であるが、アクセスが低速であり、易損性も高いという特徴を持つ。
【００３２】
ここで、易損性とは、撮像装置１００を落下などして物理的にダメージを受けたときに、どのくらい損壊しやすいかを示す。また、これに限らず、熱や電磁波に対して損壊しやすいかを示すものであってもよい。
【００３３】
また、ハードディスク１６０は、後述する各種テーブルを記憶する。
【００３４】
フラッシュメモリ１７０は、撮影部１３０により撮影された撮影画像データの確認用画像として、撮影画像のサムネイル画像データを保存する。また、後述するように、所定の評価条件を満たす撮像画像データをハードディスク１６０から複写して保存する。フラッシュメモリ１７０に複写した画像データはハードディスク１６０から削除するようにしてもよい。フラッシュメモリ１７０は、ハードディスク１６０に比してアクセスが高速であり、易損性も低いが、高価で小容量であるという特徴を持つ。
【００３５】
所定の評価条件を満たす重要度の高い画像データをフラッシュメモリ１７０に複写保存することができるので、易損性の高いハードディスク１６０が破損しても該重要度の高い画像データは失われない。
【００３６】
ハードディスク１６０及びフラッシュメモリ１７０に保存されている画像データを、操作部１１０の所定の操作により削除する際、本画像の削除に連動してサムネイル画像も削除する、本画像のみ削除する、サムネイル画像のみ削除する、のいずれかが選択できるようにしてもよい。
【００３７】
フラッシュメモリ１７０に保存する確認用画像として、サムネイル画像データではなく、撮影画像データの画素数を落とした小サイズ画像データを保存するようにしてもよい。また、確認用画像を複数にして、サムネイル画像データと小サイズ画像データとを併せて保存してもよい。
【００３８】
ＲＯＭ１８０は、制御部１５０が実行するプログラムを記憶する。ＲＯＭ１８０には、撮像装置１００全体の動作を制御するための基本ソフトウエア（いわゆる、ＯＳなど）や、撮像装置１００の種々の機能を実現するためのアプリケーションソフトウェアなどが格納される。
【００３９】
ＲＡＭ１９０は、制御部１５０のワークエリアとして機能する。
【００４０】
ハードディスク１６０は、静止画評価テーブル３１０と、評価条件テーブル３２０〜３４０と、静止画複写条件テーブル３５０と、を記憶する。
【００４１】
静止画評価テーブル３１０は、図２に示すような、ハードディスク１６０に保存されている画像それぞれについての評価を記録するテーブルである。
評価の種別には、「閲覧者評価」、「人の顔」、「特定色」、「連続撮影」、「右合計」（それらの合計）、がある。それぞれの評価を数値で記録する。また、「自動動画抽出フラグ」、「別保存フラグ」、も画像に対応付けて記録する。
【００４２】
「閲覧者評価」には、ユーザが撮影した静止画像を閲覧しながら手動で評価した値が記録される。評価は「１」から「５」の５段階でなされる。
【００４３】
「人の顔」には、撮影画像における顔の大きさに基づき、制御部１５０により自動的に評価された値が記録される。具体的には、制御部１５０が撮影した画像から顔認識を行い、人の顔が映っているか否かを判別する。映っていない場合、値は「０」になる。映っている場合、撮影画像の大きさに対する顔の大きさの比率によって、「１」から「５」の値が記録される。評価値は、後述する評価条件テーブル（人の顔）３２０の条件に基づき決定する。
【００４４】
「特定色」には、撮影画像全体のＲＧＢの色度それぞれの平均値に基づき、制御部１５０により自動的に評価された値が記録される。具体的には、制御部１５０が、後述する評価条件テーブル（特定色）３３０に設定されたＲＧＢの色度と前記平均値との差を設定された許容値内であるか否かを判別する。許容値は３段階で設定され、評価値は許容値に対応して「１」から「３」の値が記録される。
【００４５】
「連続撮影」には、当該撮影画像の撮影時刻と、過去に撮影した画像の撮影時刻に基づき、制御部１５０により自動的に評価された値が記録される。具体的には、制御部１５０が、後述する評価条件テーブル（連続撮影）３４０に設定された時間内に、設定された枚数の画像が撮影されたか否か判別する。評価値は「１」から「３」の値が記録される。
【００４６】
「自動動画切出フラグ」は、動画から切り出された静止画である場合に「１」がセットされる。
制御部１５０は、動画撮影時に、撮影開始からの時間を計時部１４０により計測し、所定時間（例えば、３秒）経過すると静止画像を切り出す。そして、切り出した静止画像をハードディスク１６０に保存し、「自動動画切出フラグ」に「１」をセットする。
撮影開始から所定時間としたのは、撮影開始直後は構図が安定しないことを考慮したものである。動画の撮影が所定時間に満たない場合、静止画像を切り出さない。
また、所定時間の画像の変化が少ないタイミングの中間部分の画像を静止画像として切り出すようにしてもよい。
【００４７】
「別保存フラグ」は、上記のように手動または自動で評価された画像が、後述する静止画複写条件テーブル３５０の評価条件を満たす場合に「１」がセットされる。
制御部１５０は、「別保存フラグ」に「１」をセットするのと同時に、該静止画像をハードディスク１６０からフラッシュメモリ１７０に複写する。
その後の手動評価により、静止画複写条件テーブル３５０の評価条件を満たさなくなった場合は、「別保存フラグ」を「０」にリセットし、フラッシュメモリ１７０からも該画像を削除するようにしてもよい。
【００４８】
評価条件テーブル（人の顔）３２０は、図３（ａ）に示すように、静止画像全体に対する顔画像部分の割合を、評価値と対応付けて記憶する。
制御部１５０は、このテーブルを参照して「人の顔」の評価値を判別する。
【００４９】
評価条件テーブル（特定色）３３０は、図３（ｂ）に示すように、特定色のＲＧＢ（例えば、Ｒ＝１００、Ｇ＝５０、Ｂ＝８０）の色度（ここでは２５６段階で示す）を記憶し、その特定色との色差の許容値を３段階で記憶する。
制御部１５０は、静止画像の色度とこのテーブルの特定色の色度との差が、「ΔＥ１」以内であれば「１」、「ΔＥ２」以内であれば「２」、「ΔＥ３」以内であれば「３」、の評価値を静止画評価テーブル３１０に記録する。
【００５０】
これにより、特定の色味をもった画像を抽出することができ、海、空、森など特定の色味を持つ画像を抽出しやすくすることができる。
【００５１】
評価条件テーブル（連続撮影）３４０は、図３（ｃ）に示すように、時間と枚数を記憶する。
制御部１５０は、「時間１」内に「撮影枚数１」以上撮影されると「１」、「時間２」内に「撮影枚数２」以上撮影されると「２」、「時間３」内に「撮影枚数３」以上撮影されると「３」、の評価値を静止画評価テーブル３１０に記録する。
【００５２】
静止画複写条件テーブル３５０は、図４に示すように、各評価値について、静止画像をハードディスク１６０からフラッシュメモリ１７０に複写する条件を記憶したテーブルである。静止画像の各評価値のいずれかが条件を満たす場合、制御部１５０は、該静止画像をハードディスク１６０からフラッシュメモリ１７０に複写する。
【００５３】
次に、上記構成の撮像装置１００の動作について説明する。
【００５４】
撮像装置１００の制御部１５０は、ユーザが操作部１１０の操作により静止画像を撮影すると、図５に示す、静止画撮影処理を実行する。
【００５５】
先ず、制御部１５０は、撮影部１３０により撮影された静止画像（本画像）をハードディスク１６０に保存し、確認用画像としてサムネイル画像をフラッシュメモリ１７０に保存する（ステップＳ１０１）。また、このとき静止画評価テーブル３１０に新たな画像ナンバーの項を追加する。
【００５６】
そして、ハードディスク１６０に保存した静止画像を評価条件テーブルを用いて自動評価する（ステップＳ１０２〜Ｓ１０７）。
【００５７】
まず、静止画像から顔画像を認識する。人の顔が含まれる場合、静止画像に対する顔画像の大きさの比率を算出し、その数値を評価条件テーブル（人の顔）３２０によって評価する（ステップＳ１０２）。
【００５８】
そして、人の顔についての評価結果を静止画評価テーブル３１０に記録する（ステップＳ１０３）。
【００５９】
次に、撮影画像の平均の色度を算出して、その数値を評価条件テーブル（特定色）３３０によって評価する（ステップＳ１０４）。
【００６０】
そして、特定色についての評価結果を静止画評価テーブル３１０に記録する（ステップＳ１０５）。
【００６１】
続いて当該撮影画像の撮影時刻と、過去に撮影した画像の撮影時刻を比較して、その値を評価条件テーブル（連続撮影）３４０によって評価する（ステップＳ１０６）。
【００６２】
そして、連続撮影についての評価結果を静止画評価テーブル３１０に記録する（ステップＳ１０７）。
【００６３】
自動評価（ステップＳ１０２〜ステップＳ１０７）が完了すると、静止画評価テーブル３１０に記録された評価結果が静止画複写条件テーブル３５０のいずれかの条件に合致するか否かを判別する（ステップＳ１０８）。
【００６４】
いずれかの条件に合致した場合（ステップＳ１０８；Ｙｅｓ）、静止画評価テーブル３１０の「別保存フラグ」に「１」をセットすると共に、当該撮像画像をフラッシュメモリ１７０に複写する（ステップＳ１０９）。この際に、該静止画像をハードディスク１６０から削除するようにしてもよい。そして、静止画撮影処理を終了する。
【００６５】
いずれの条件にも合致しなかった場合（ステップＳ１０８；Ｎｏ）、当該撮像画像を複写せず、静止画撮影処理を終了する。
【００６６】
以上のようにして、撮影した画像を自動評価し、評価値が複写条件を満たす場合、フラッシュメモリ１７０に該画像を複写する。これにより、重要度が高いデータのみをフラッシュメモリ１７０に複写し、落下などによる消失から防ぐことが出来る。
【００６７】
撮像装置１００の制御部１５０は、ユーザが操作部１１０の操作により動画像を撮影すると、図６に示す、動画撮影処理を実行する。
【００６８】
先ず、制御部１５０は、撮影部１３０により撮影された動画像をハードディスク１６０に保存開始する（ステップＳ２０１）。
【００６９】
そして、制御部１５０は、動画撮影時に、撮影開始からの時間を計時部１４０により計測し、３秒が経過したか否かを判別する（ステップＳ２０２）。
【００７０】
撮影開始から３秒経過した場合（ステップＳ２０２；Ｙｅｓ）、撮影する動画像から静止画像を切り出してハードディスク１６０に保存する（ステップＳ２０３）。また、該静止画像のサムネイル画像をフラッシュメモリ１７０に保存する。そして、静止画評価テーブル３１０に新たな画像ナンバーの項を追加し、「自動動画切出フラグ」に「１」をセットすると共に、静止画評価テーブル３１０の「別保存フラグ」に「１」をセットする。
【００７１】
撮影開始から３秒経過していない場合（ステップＳ２０２；Ｎｏ）、後述するステップＳ２０７に処理を進める。
【００７２】
ステップＳ２０３で静止画像を切り出すと、静止画撮影処理のステップＳ１０２〜Ｓ１０７の処理と同様の処理により、抽出した静止画像を自動評価して、評価結果を静止画評価テーブル３１０に記録する（ステップＳ２０４）。
【００７３】
自動評価が完了すると、静止画評価テーブル３１０に記録された評価結果が静止画複写条件テーブル３５０のいずれかの条件に合致するか否かを判別する（ステップＳ２０５）。
【００７４】
いずれかの条件に合致した場合（ステップＳ２０５；Ｙｅｓ）、静止画評価テーブル３１０の「別保存フラグ」に「１」をセットすると共に、当該撮像画像をフラッシュメモリ１７０に複写する（ステップＳ２０６）。
【００７５】
いずれの条件にも合致しなかった場合（ステップＳ２０５；Ｎｏ）、当該撮像画像を複写せず、後述するステップＳ２０７に処理を進める。
【００７６】
ステップＳ２０６で複写が完了すると、ユーザが動画像の撮影を終了したか否かを判別する（ステップＳ２０７）。
【００７７】
ユーザが動画像の撮影を続けている場合（ステップＳ２０７；Ｎｏ）、ステップＳ２０２に処理を戻し、静止画の切り出しの判定を継続する。
【００７８】
ユーザが動画像の撮影を終了した場合（ステップＳ２０７；Ｙｅｓ）、動画像撮影処理を終了する。
【００７９】
以上のようにして、動画像から静止画像を切り出すことができる。また、切り出した画像についても自動評価して、評価が複写条件を満たす場合、該静止画像をフラッシュメモリ１７０に複写することができる。
【００８０】
また、上記の動画撮影処理のステップＳ２０２は、所定時間の動画像の各フレームを比較して、画像の変化を判別し、画像の変化を示す数値が所定の値より小さいか否かを判別するようにしてもよい。
画像の変化を示す数値が所定の値より小さい場合（ステップＳ２０２；Ｙｅｓ）、前記所定時間の中間フレームの画像を切り出してハードディスク１６０に保存する（ステップＳ２０３）。
【００８１】
また、ユーザが、撮影した画像を閲覧しながら手動で評価することもできる。このときの動作について説明する。
【００８２】
ユーザ（閲覧者）が操作部１１０の所定の操作により、ハードディスク１６０に保存されている静止画像を表示部１２０に表示させて、該画像を評価するとき、撮像装置１００の制御部１５０は、図７に示す、閲覧者評価処理を実行する。
【００８３】
先ず、制御部１５０は、閲覧者による評価の入力を待つ（ステップＳ３０１）。
【００８４】
閲覧者によって評価が入力されると、静止画評価テーブル３１０の閲覧されていた静止画像の「閲覧者評価」に評価結果を記録する（ステップＳ３０２）。
【００８５】
評価結果の記録が完了すると、静止画評価テーブル３１０に記録された評価結果が静止画複写条件テーブル３５０のいずれかの条件に合致するか否かを判別する（ステップＳ３０３）。
【００８６】
いずれかの条件に合致した場合（ステップＳ３０３；Ｙｅｓ）、静止画評価テーブル３１０の「別保存フラグ」に「１」をセットすると共に、当該撮像画像をフラッシュメモリ１７０に複写する（ステップＳ３０４）。そして、閲覧者評価処理を終了する。
【００８７】
いずれの条件にも合致しなかった場合（ステップＳ１０８；Ｎｏ）、当該撮像画像を複写せず、閲覧者評価処理を終了する。
【００８８】
以上のようにして、閲覧者が手動で静止画像を評価することができる。また、その評価が複写条件を満たす場合、該静止画像をフラッシュメモリ１７０に複写することができる。
【００８９】
本発明は、上述した実施形態に限定されるものではなく、実施の段階ではその趣旨を逸脱しない範囲で種々に変形することが可能である。
【００９０】
また、上述した実施形態で実行される機能は可能な限り適宜組み合わせて実施してもよい。上述した実施形態には種々の段階の発明が含まれており、開示される複数の構成要件における適宜の組み合わせにより種々の発明が抽出されうる。例えば、実施形態に示される全構成要件から幾つかの構成要件が置換されても、効果が得られるのであれば、この構成要件が置換された構成が発明として抽出されうる。
【００９１】
上述の実施形態の「連続撮影」の評価は、所定の時間内に所定枚数撮影されたか否かにより評価していたが、所定の時間内に撮影された所定枚数の画像を比較し、画像が類似しているか否かを評価するようにしてもよい。
【００９２】
閲覧者による手動評価は、好み、写り、被写体、貴重性などのカテゴリを細分化した上で、総合的に評価するようにしてもよい。
【００９３】
また、手動評価や自動評価の評価段階は上述の３段階や５段階ではなく、１００段階などであってもよい。
【００９４】
ハードディスク１６０に特定形状を予め記憶し、撮影画像に該特定形状が存在するか否かを判別し、該特定形状が存在した場合にフラッシュメモリ１７０に複写するようにしてもよい。
例えば、顔認識の際に、顔の特徴などから人物を判別して、特定の人物が撮影されている場合のみ複写するようにしてもよい。
【００９５】
撮影画像の評価は、ＥＸＩＦ（Exchangeable Image File Format）の情報によって評価してもよい。
また、ハードディスク１６０に保存される画像のＥＸＩＦデータの一覧テーブルを作成して、フラッシュメモリ１７０へ保存してもよい。
これにより、ハードディスク１６０が破損して、フラッシュメモリ１７０のサムネイル画像のみになった場合でも、撮影日時などのＥＸＩＦデータが失われずにすむ。
また、撮影画像のＥＸＩＦ情報の一覧を作成して、フラッシュメモリ１７０へ保存するようにしても良い。これにより、ＨＤＤが破損して、サムネイル画像のみになったとしても、撮影日時や撮影条件などの情報が失われずに済む。
【００９６】
フラッシュメモリ１７０に複写する条件として、その日の一枚目の画像、その日の最後の画像、その日の一番輝度の高い画像等を設定できるような構成にしてもよい。
【００９７】
ハードディスク１６０の記憶容量が、フラッシュメモリ１７０より先に一杯になった場合、その後の撮影画像データ全てをフラッシュメモリ１７０に保存するようにしてもよい。また、その逆も可能に構成して、ハードディスク１６０とフラッシュメモリ１７０との記憶容量を、お互いに補完しあう関係に構成してもよい。
このような構成をとることで、双方の記憶手段のうち、いずれかの空き記憶容量がなくなった場合でも、画像データの保存を続けることができる。
【００９８】
フラッシュメモリ１７０は、着脱可能なものであってもよく、ハードディスク１６０も、着脱可能なものであってもよい。これによって、ユーザは、コストと機能のバランスを考えながら、フラッシュメモリ１７０やハードディスク１６０の容量を自由に構成することができる。
【００９９】
フラッシュメモリ１７０からデータが消失したときは、制御部１５０は、ハードディスク１６０に保存されている入力データから、あらためて小容量入力データを作成し、フラッシュメモリ１７０に再保存するように構成してもよい。
このようにすることで、たとえば、ユーザが、フラッシュメモリ１７０が故障し、新品に交換したとしても、小容量入力データのリカバリができ、ユーザは入力データを容易に確認することができる。
【０１００】
静止画評価テーブル３１０、評価条件テーブル３２０〜３４０、静止画複写条件テーブル３５０、はハードディスク１６０に記憶するとしたが、各テーブルの配置場所は任意である。
【０１０１】
上記実施形態では、第２の記憶手段としてハードディスク１６０を用いた例を説明したが、ハードディスク１６０のほか、例えば、ＭＯ(Magneto-Optical disk)や、磁気テープや、これらの組み合わせであってもよい。
【０１０２】
上記実施形態では、第１の記憶手段としてフラッシュメモリ１７０を、第２の記憶手段としてハードディスク１６０を用いた例を説明したが、第１の記憶手段と比較して第２の記憶手段の方が易損性が高く大容量であれば、フラッシュメモリ１７０やハードディスク１６０のほか、例えば、ＵＳＢ（Universal Serial Bus）メモリ、ＳＲＡＭ(Static Random Access Memory)、フレキシブルディスク、ＤＶＤ、ホログラフィックメモリ、３次元メモリやこれらの組み合わせであってもよい。
【図面の簡単な説明】
【０１０３】
【図１】撮像装置の構成を示すブロック図である。
【図２】静止画評価テーブルの構成を示す図である。
【図３】評価条件テーブルの構成を示す図である。
【図４】静止画複写条件テーブルの構成を示す図である。
【図５】静止画撮影処理の動作を説明するためのフローチャートである。
【図６】動画撮影処理の動作を説明するためのフローチャートである。
【図７】閲覧者評価処理の動作を説明するためのフローチャートである。
【符号の説明】
【０１０４】
１００…撮像装置、１１０…操作部、１２０…表示部、１３０…撮影部、１４０…計時部、１５０…制御部、１６０…ハードディスク、１７０…フラッシュメモリ、１８０…ＲＯＭ、１９０…ＲＡＭ、２００…バス、３１０…静止画評価テーブル、３２０…評価条件テーブル（人の顔）、３３０…評価条件テーブル（特定色）、３４０…評価条件テーブル（連続撮影）、３５０…静止画複写条件テーブル
【図１】
0004835224.tif 000002
【図２】
0004835224.tif 000003
【図３】
0004835224.tif 000004
【図４】
0004835224.tif 000005
【図５】
0004835224.tif 000006
【図６】
0004835224.tif 000007
【図７】
0004835224.tif 000008